(57)【要約】【課題】  電装品箱に把手を設けることでサービス点検時に取り外しやすい構成にして、電装品箱の内部点検を容易に行なえるようにするとともに、内部点検後は電装品箱を仮固定して位置合わせした後容易に、且つ正確に固定できるようにした空気調和機の室外機を提供する。【解決手段】  筐体１内部を上下に仕切る仕切板１１により、その上部に熱交換器９を備えた熱交換器室１２が形成され、下部に圧縮機を備えた圧縮機室１３が形成されるとともに、前記筐体１内部の一側に電装品箱１６が固定されるものにおいて、前記筐体１内部に前記電装品箱１６用の仮固定部２２が設けられる一方、前記電装品箱１６は把手２３が設けられ、且つ前記筐体１の前方から前記仮固定部２２に着脱可能に仮固定される固定具２１が設けられてなることを特徴とする。【選択図】  図２
2007322045.tif 000002
【特許請求の範囲】
【請求項１】
筐体内部を上下に仕切る仕切板により、その上部に熱交換器を備えた熱交換器室が形成され、下部に圧縮機を備えた圧縮機室が形成されるとともに、前記筐体内部の一側に電装品箱が固定されるものにおいて、
前記筐体内部に前記電装品箱用の仮固定部が設けられる一方、前記電装品箱は把手が設けられ、且つ前記筐体の前方から前記仮固定部に着脱可能に仮固定される固定具が設けられてなることを特徴とする空気調和機の室外機。
【請求項２】
前記電装品箱は、前記仮固定部から前記固定具を離脱させて前記仕切板上に横たえ可能にしてなることを特徴とする請求項１に記載の空気調和機の室外機。
【発明の詳細な説明】
【技術分野】
【０００１】
本発明は、空気調和機の室外機に係わり、より詳細には、電装品箱の着脱および内部点検を容易に行なえるようにした室外機の構造に関する。
【背景技術】
【０００２】
従来の空気調和機の室外機としては、例えば、図４に示すようなものがある。
【０００３】
図４は室外機の内部構成を側面から示したもので、筐体５の内部が仕切板６によって上部空間（熱交換器室）７と下部空間（圧縮機室）８とに仕切られ、圧縮機室８には台枠１に取付けられた圧縮機２があり、前面にはフロントパネル１６が設けられている。前記熱交換器室７にはその上部に送風機１０を設け、中間部に、下部を後方に位置させ上部を前方に傾斜させた熱交換器９を設け、その前方に制御箱（電装品箱）１３を配設し、前面に格子状のフロントガード１４を設け、このフロントガード１４を取り外せばインバータケース１３の内部点検が行なえるようにした構成が開示されていた（例えば、特許文献１参照。）。
【０００４】
しかしながら、上記構成のものにおいては、前面から熱交換器９に向かう空気流がインバータケース１３によって邪魔され、熱交換に悪影響を及ぼすおそれがあった。そこで、このような不具合を解消できるものとして開発されたのが図５に示すような室外機である。この室外機においては、ヒートシンク１３ａを備えた電装品箱１３を筐体５の内部一側に設けることにより、前面から熱交換器９に向かう空気流を改善し、電装品箱１３の内部点検は側板４ａを取り外して行なうようになっている。
【０００５】
ところで、図５に示すような複数の圧縮機（回転速度が一定のものと回転速度を制御できるインバータタイプのもの）２を備えた室外機は１台でも複数の室内機に対応できるようになっているが、場合によっては複数の室外機が図５に示すように近接した状態で設置されたり、また、室外機が１台の場合でもその側方に壁があったりすると側板４ａの着脱ができず、電装品箱１３の内部点検ができなくなるという問題点があった。
【０００６】
また、電装品箱１３がサービス点検時に取り外し可能になっている構成であっても、電装品箱１３が大きく且つ重い構成である場合は、電装品箱１３の外形部に手指を掛けて持たなければならないことから、持ちにくくなってしまうためにサービス点検時の作業性が悪いという問題点を有していた。
【特許文献１】実開平５−６９５３９号公報
【発明の開示】
【発明が解決しようとする課題】
【０００７】
そこで、本発明は上述した課題を解決するためになされたものであって、その目的は、電装品箱に把手を設けることでサービス点検時に取り外しやすい構成にして、電装品箱の内部点検を容易に行なえるようにするとともに、内部点検後は電装品箱を仮固定して位置合わせした後容易に、且つ正確に固定できるようにした空気調和機の室外機を提供することにある。
【課題を解決するための手段】
【０００８】
上述した目的を達成するため、本発明は以下に示す特徴を備えている。
【０００９】
筐体内部を上下に仕切る仕切板により、その上部に熱交換器を備えた熱交換器室が形成され、下部に圧縮機を備えた圧縮機室が形成されるとともに、前記筐体内部の一側に電装品箱が固定されるものにおいて、
前記筐体内部に前記電装品箱用の仮固定部が設けられる一方、前記電装品箱は把手が設けられ、且つ前記筐体の前方から前記仮固定部に着脱可能に仮固定される固定具が設けられてなることを特徴としている。
【００１０】
また、前記電装品箱は、前記仮固定部から前記固定具を離脱させて前記仕切板上に横たえ可能にしてなることを特徴としている。
【発明の効果】
【００１１】
本発明によれば、筐体内部に仮固定部が設けられる一方、電装品箱は把手が設けられ、且つ前記筐体の前方から前記仮固定部に着脱可能に仮固定される固定具が設けられてなり、また、前記電装品箱は、前記仮固定部から前記固定具を離脱させて前記仕切板上に横たえ可能にしたので、電装品箱に把手を設けることでサービス点検時に取り外しやすい構成にして、電装品箱の内部点検を容易に行なえるようにするとともに、内部点検後は電装品箱を仮固定して位置合わせした後容易に、且つ正確に固定できるようにした空気調和機の室外機となる。
【発明を実施するための最良の形態】
【００１２】
以下、本発明の実施の形態を、添付図面に基づいて詳細に説明する。
【００１３】
図１は空気調和機の室外機の概略構成を示したもので、図において、１は筐体である。この筐体１は格子状に形成されたフロントガード２と、左右一対のフロントパネル３と、側板４と、底板５と、上部にファンガード６を備えた左右一対の天板７と、これらの取付を可能にした枠体８等で構成され、前記筐体１内には、上部に図示されていない二つの送風機があり、その下部空間には、下部を後方に位置させ上部を前方に傾斜させた熱交換器９があり、また、その後方には第二の熱交換器１０が立設されている。
【００１４】
前記熱交換器９の前方には筐体１の内部を上下に仕切る仕切板１１が設けられ、その上部に熱交換器室１２、下部に圧縮機室１３が夫々形成され、同圧縮機室１３には複数の圧縮機（回転数が一定の圧縮機１４と、回転数の制御が可能な圧縮機１５）と、その他図示されてない機器が配設されている。前記筐体１の内部一側には電装品を収めた電装品箱１６が設けられている。また、前記電装品箱１６そのものは前記筐体１の前面からの着脱ができるように別途用意された複数のネジ１８で固定されている。１９は前記電装品箱１６の低部より突出しているヒートシンクである。
【００１５】
図２は前記電装品箱１６の取付状態を拡大した説明図で、矢印ａに示すように、同電装品箱１６が前記筐体１の前方からその一側に取り付けられるように構成されており、前方２か所が前記枠体８の内面に、また、後方の取付片１６ｂが前記熱交換器９の一側前方に位置する取付板２０に、夫々前記ネジ１８で固定され、また、同ネジ１８と固定具２１を用いて前記ヒートシンク１９の端面を押さえ、横方向の動きを制するようになっている。
【００１６】
前記固定具２１は、図２に示すように、下方を開放しネジ締め固定用の挿通孔を備えて断面コ字状に折曲されている。
前記筐体１の内部には、前記仕切板１１の一側に前記固定具２１の挿通孔に対応するネジ孔を備えた前記電装品箱１６用の仮固定部２２が折曲形成されており、同仮固定部２２の上方から前記固定具２１が係合されることによって前記電装品箱１６が仮固定されるようになっている。
【００１７】
その際、前記仮固定部２２に前記固定具２１が係合することで前記電装品箱１６が仮固定されていることから、前記仮固定部２２のネジ孔に対し、前記固定具２１の挿通孔を容易に、且つ正確に位置合わせできるので、前記電装品箱１６を複数のネジ１８によりネジ締め固定する時の作業性が良好になる。
【００１８】
また、前記電装品箱１６には把手２３が設けられており、同電装品箱１６を取り外すことによってサービス点検を行なう際、前記筐体１の前方から前記把手２３に手指を掛けて持ち上げながら、図３に示すように、前記仮固定部２２から前記固定具２１を離脱させて前記仕切板１１上に横たえ可能にしている。
【００１９】
前記把手２３は、図２に示すように、前記電装品箱１６の底部であって、同電装品箱１６が前記筐体１内の一側に固定された時に、同電装品箱１６の上位部に位置するように設けられており、これによって、前記把手２３が手指を掛けやすい位置に設けられた構成になっている。
【００２０】
前記把手２３は、略コ字状に折曲形成されて前記電装品箱１６の底部にスポット溶接されており、前記熱交換器９に向かう吸込空気流に対する空気抵抗が生じにくい向きに構成されている。
【００２１】
前記電装品箱１６を前記仕切板１１上に横たえ設置することで、複数のネジ１７を全部取り外すことによりネジ締め固定されている蓋体１６ａを外して、前記筐体１の前方から内部のサービス点検を容易に行なえるようになる。
【００２２】
サービス作業の終了時には、前記電装品箱１６の姿勢を起こしながら、前記筐体１の前方から前記把手２３に手指を掛けて前記仮固定部２２に前記固定具２１を容易に係合させて仮固定し、上述したように、前記仮固定部２２のネジ孔に前記固定具２１の挿通孔を容易に位置合わせすることができるので、前記電装品箱１６を前記ネジ１８により正確にネジ締め固定できるようになる。
【００２３】
以上説明したように、本発明によれば、例えば複数の室内機に接続された大型の室外機であって、とくに電装品箱１３が大きく且つ重い構成であるような場合に、同電装品箱１３のサービス点検時には、前記筐体１の前方から前記把手２３に手指を掛けて持ち上げながら取り外すことができるので、サービス点検時の作業性を大幅に向上させることができるようになり、また、前記仮固定部２２のネジ孔に前記固定具２１の挿通孔を容易に位置合わせして、正確にネジ締め固定できるようになる。
【図面の簡単な説明】
【００２４】
【図１】本発明の実施の形態を示す空気調和機の室外機の斜視図である。
【図２】本発明による電装品箱の取付形態を示す要部斜視図である。
【図３】本発明による電装品箱の取り出し形態を示す要部斜視図である。
【図４】従来例を示す空気調和機の室外機の側断面図である。
【図５】従来例を示す複数台の室外機の設置形態および内部構成を示す斜視図である。
【符号の説明】
【００２５】
１  筐体
２  フロントガード
３  フロントパネル
４  側板
５  底板
６  ファンガード
７  天板
８  枠体
９  熱交換器
１０  第二の熱交換器
１１  仕切板
１２  熱交換器室
１３  圧縮機室
１４、１５  圧縮機
１６  電装品箱
１６ａ  蓋体
１６ｂ  取付片
１７、１８  ネジ
１９  ヒートシンク
２０  取付板
２１  固定具
２２  仮固定部
２３  把手
【図１】
2007322045.tif 000003
【図２】
2007322045.tif 000004
【図３】
2007322045.tif 000005
【図４】
2007322045.tif 000006
【図５】
2007322045.tif 000007